(57)【特許請求の範囲】
【請求項１】
所定の空間に販売用の製品を保管し、決済手段による処理によって製品を排出するように構成された自動販売機において、
有線又は無線ネットワークを介してプロモーション広告のコンテンツを受信し、これを表示するための少なくとも一つのディスプレイパネル；
販売中の製品に対する前記プロモーション広告を選択するための会員認証を含むユーザー命令の入力を受けるためのタッチスクリーンユニット；
前記タッチスクリーンユニットの一方の側に備えられ、会員認証のための会員カード情報を読み込むためのカードリーダー部；
販売中の製品に対する前記プロモーション広告を選択する際に発生する特典及び処理結果による結果物を出力するための印刷ユニット；
陳列されている製品の前面側に配置されたサインユニット；
前記サインユニットの前面側に配置された透明部材；
前後方向において前記サインユニットと前記透明部材との間に備えられ、内側に陳列されている前記製品が透けて見えるように前記コンテンツを表示する透明ディスプレイパネルを含み、
前記透明ディスプレイパネルは上部と下部に設けられたレールに固定され、ベアリングを介して左右に移送可能であることを特徴とする、プロモーション広告統合サービス機能を備えた自動販売機。
【請求項２】
前記ディスプレイパネルは３Ｄ広告のための３Ｄディスプレイパネルで構成されることを特徴とする、請求項１に記載のプロモーション広告統合サービス機能を備えた自動販売機。
【請求項３】
前記決済手段は、小銭投入ユニット、紙幤投入ユニット、及びカードリーダー部の少なくとも一つを含むことを特徴とする、請求項１に記載のプロモーション広告統合サービス機能を備えた自動販売機。
【請求項４】
前記カードリーダー部は、磁気カードリーダーユニット及びＲＦＩＤカードリーダーユニットの少なくとも一つを含むことを特徴とする、請求項１または３に記載のプロモーション広告統合サービス機能を備えた自動販売機。
【請求項５】
前記印刷ユニットによって出力される結果物は、販売中の製品に対する前記プロモーション広告を選択する際に特典として付与されるクーポン、割引券及び情報提供のための略図、積立内訳、及びコンテンツ情報の少なくとも一つを含むことを特徴とする、請求項１に記載のプロモーション広告統合サービス機能を備えた自動販売機。
【請求項６】
前記磁気カードリーダーユニットまたはＲＦＩＤカードリーダーユニットによって、ポイントまたは電子商品券が直接積立されることを特徴とする、請求項４に記載のプロモーション広告統合サービス機能を備えた自動販売機。
【請求項７】
販売中の製品に対する前記プロモーション広告を選択する購買者に割引の特典を適用することを特徴とする、請求項１に記載のプロモーション広告統合サービス機能を備えた自動販売機。
【発明の詳細な説明】
【技術分野】
【０００１】
本発明はプロモーション広告統合サービス機能を備えた自動販売機に係り、より詳しくは自動販売機でプロモーション広告統合サービスを提供し、販売製品関連広告によって割引の特典を提供し、３Ｄディスプレイパネルによる３次元広告と透明ディスプレイパネルを適用して販売及び広告の効果を高めることができるプロモーション広告統合サービス機能を備えた自動販売機に関する。
【背景技術】
【０００２】
一般に、自販機とも呼ばれる自動販売機は、路頭、地下鉄、劇場、建物などの多様な場所に設置されており、周りで容易に探し得る程度に多数の自動販売機が設置されているので、いつでもどこでも手軽く便利さを享受することができる。
【０００３】
その種類としては、単に温かいコーヒー飲料を楽しむことができる小型自動販売機から多様なお菓子及び小型電子製品を購入することができる大型自動販売機まで非常に多様である。
【０００４】
一方、既存に立て看板の形態に運用されているデジタル情報ディスプレイ（Ｄｉｇｉｔａｌ Ｉｎｆｏｒｍａｔｉｏｎ Ｄｉｓｐｌａｙ、 ＤＩＤ）はＬＣＤ（Ｌｉｑｕｉｄ Ｃｒｙｓｔａｌ Ｄｉｓｐｌａｙ）やＰＤＰ（Ｐｌａｓｍａ Ｄｉｓｐｌａｙ Ｐａｎｅｌ）によって別の機能なしに広告のみを実施しており、さらに消費者の参加を目的として各種のプロモーション広告やイベント広告を実施してはいるが、このようなプロモーションやイベントに参加することによる実質的な特典が不足しているだけでなくプロモーション広告及びイベント広告の実施による広告効果の測定や分析が正常になされていない。
【０００５】
近年には、ユーザーが情報獲得、購買、発券、登録手続きを行うことができるように公共場所にキオスクを設置して運営しているが、タッチスクリーンの一部または別途のディスプレイ画面によって広告を行うこともある。
【０００６】
しかし、所定の手続きを行うユーザーらは目的と関連のない広告コンテンツに全然関心を向けない場合がほとんどであり、また、特定の場所に設置されているため、使用するためにわざわざ該当設置場所に移動しなければ所望の情報と特典が得られないという不便さがあった。
【発明の概要】
【発明が解決しようとする課題】
【０００７】
したがって、本発明は前述した問題点を解決するためになされたもので、本発明の目的は、多様な場所に設置可能な自動販売機がプロモーション統合広告サービスを提供することで、生活と密接した場所でも効果的にプロモーション広告を遂行することができるプロモーション広告統合サービスのための自動販売機を提供することにある。
【０００８】
本発明の他の目的は、自動販売機の前面に透明ディスプレイパネルを配置することで、広告の可視的効果を高めるとともに、広告中にも購買しようとする製品を確認することができるプロモーション広告統合サービスのための自動販売機を提供することにある。
【０００９】
本発明のさらに他の目的は、販売中の製品に対するプロモーション広告を選択した購買者に割引の特典が適用されるようにするプロモーション広告統合サービスのための自動販売機を提供することにある。
【課題を解決するための手段】
【００１０】
前述したような本発明の目的は、所定の空間に販売用の製品を保管し、決済手段による処理によって製品を排出するように構成された自動販売機であって、有線又は無線ネットワークを介してプロモーション広告のコンテンツを受信し、これを表示するための少なくとも一つのディスプレイパネル；販売中の製品に対する前記プロモーション広告を選択するための会員認証を含むユーザー命令の入力を受けるためのタッチスクリーンユニット；前記タッチスクリーンユニットの一方の側に備えられ、会員認証のための会員カード情報を読み込むためのカードリーダー部；及び販売中の製品に対する前記プロモーション広告を選択する際に発生する特典及び処理結果による結果物を出力するための印刷ユニットを含む、プロモーション広告統合サービス機能を備えた自動販売機によって達成される。
【００１１】
本発明によれば、前面の透明部材とサインユニットとの間に備えられ、プロモーション広告のディスプレイのうち内側に陳列された製品が透けて見えるようにする透明ディスプレイパネルをさらに含むことができる。
【００１２】
本発明によれば、前記透明ディスプレイパネルは上部と下部に設けられたレールに固定され、ベアリングを介して左右に移送することができる。
【００１３】
本発明によれば、前記ディスプレイパネルと前記透明ディスプレイパネルは３Ｄ広告のための３Ｄディスプレイパネルで構成される。
【００１４】
本発明によれば、前記決済手段は、小銭投入ユニット、紙幤投入ユニット、及びカードリーダー部の少なくとも一つを含むことができる。
【００１５】
本発明によれば、前記カードリーダー部は、磁気カードリーダーユニット及びＲＦＩＤカードリーダーユニットの少なくとも一つを含むことができる。
【００１６】
本発明によれば、前記印刷ユニットによって出力される結果物は、販売中の製品に対する前記プロモーション広告を選択する際に特典として付与されるクーポン、割引券及び情報提供のための略図、積立内訳及びコンテンツ情報の少なくとも一つを含むことができる。
【００１７】
本発明によれば、前記磁気カードリーダーユニットまたはＲＦＩＤカードリーダーユニットによってポイントまたは電子商品券を直接積立することができる。
【００１８】
本発明によれば、販売中の製品に対するプロモーション広告を選択する購買者に割引の特典を適用することができる。
【発明の効果】
【００２０】
本発明のプロモーション広告統合サービス機能を備えた自動販売機によれば、多様な場所に設置可能な自動販売機がプロモーション統合広告サービスを提供するようにすることで、生活と密接した多くの場所でもプロモーション広告を遂行することができる効果がある。
【００２１】
また、本発明のプロモーション広告統合サービス機能を備えた自動販売機によれば、透明ディスプレイパネルを自動販売機の前面に配置することで、可視的広告効果を高めることができ、広告中にも透明ディスプレイパネルの裏面側にある製品を確認して購買することができるようにする効果がある。
【００２２】
また、本発明のプロモーション広告統合サービス機能を備えた自動販売機によれば、販売中の製品に対するプロモーション広告を選択した購買者に割引の特典を提供することにより、広告の選択及び購買の需要が増加する効果がある。
【図面の簡単な説明】
【００２３】
【図１】本発明の実施例によるプロモーション広告統合サービス機能を備えた自動販売機の斜視図である。
【図２】本発明の実施例によるプロモーション広告統合サービス機能を備えた自動販売機の透明ディスプレイパネルを示す部分斜視図である。
【図３】本発明の実施例によるプロモーション広告統合サービス機能を備えた自動販売機の前面の構成を示す側断面図である。
【発明を実施するための形態】
【００２４】
本明細書及び請求範囲に使用された用語や単語は通常的または辞書的な意味に限定して解釈してはならず、発明者は自分の発明を最良の方法で説明するために用語の概念を適切に定義することができるという原則に従って本発明の技術的思想に合う意味と概念に解釈しなければならない。
【００２５】
よって、本明細書に記載した実施例と図面に示した構成は本発明の好適な一実施例に過ぎなく、本発明の技術的思想を全て現すものではないので、本出願の時点でこれらを取り替えることができる多様な同等物及び変形例があり得ることを理解しなければならない。
【００２６】
本発明によるプロモーション広告統合サービスを提供するためのデジタル情報ディスプレイ（Ｄｉｇｉｔａｌ Ｉｎｆｏｒｍａｔｉｏｎ Ｄｉｓｐｌａｙ）機能を備えた自動販売機は、製品の販売とともに、地下鉄駅舎、銀行、デパート、ショッピングセンター、空港、ホテル、展示場などの室内及び室外の該当設置場所に適した各種の案内情報とともに広告及び映像と音響を提供するデジタルディスプレイ装置としての機能と広告掲示が可能な情報提供装置としての機能を持つ複合映像媒体であり、ＲＦＩＤ（Ｒａｄｉｏ Ｆｒｅｑｕｅｎｃｙ Ｉｄｅｎｔｉｆｉｃａｔｉｏｎ）はＩＣチップと無線通信を介して製品、食品、動物、事物などの多様な個体の情報を管理することができる次世代認識技術で、最近ではクレジットカード、交通カードなどの電子料金支払いシステムまたは出入統制システムに一般的に用いられる。
【００２７】
本発明は、これにより運用者が設置可能なすべての場所にデジタル情報ディスプレイ機能を備えた自動販売機を設置して、製品購買及び前記デジタル情報ディスプレイを用いるすべての人々を対象として製品販売及びプロモーション広告と商品券積立サービスを実施することができる。
【００２８】
前記デジタル情報ディスプレイ機能を備えた自動販売機が設置される場所によって該当の業者と提携したカードを利用することができ、前記デジタル情報ディスプレイを運営する自社のカードも利用可能であるもので、提携したカードを持っている者のみの使用に制限しないことが好ましい。
【００２９】
言い換えれば、本発明によれば、消費者は提携カードを用いてデジタル情報ディスプレイ機能を備えた自動販売機のカードリーダーにバンクカードを認識させることで、商品券、割引券、景品を含む特典を無償で積立して受けることができ、消費者が積立して受けた商品券は電子商品券として運用され、広告主が提供する商品を購買するのに使うことができ、印刷ユニットで割引券をプリントしてユーザーに提供することができる。
【００３０】
広告主はデジタル情報ディスプレイ機能を備えた自動販売機によってプロモーション広告と商品券積立サービスを実施することで、広告露出度、商品券積立者、性別、年齢帯、日付別利用率、時間帯別利用率、場所別利用率、商品券使用日付、購買品目による売上現況などのプロモーション広告及び商品券積立サービス実施から商品券使用に至るまでの消費者分析及び消費パターン分析が可能であり、消費者と関係のあるデータの確保によってプロモーション広告実施による効果測定が可能であるだけでなく、これに基づいて今後進める広告及びセールスプロモーション実施による戦略と方向を設定し、広告対象に合う、つまり消費者のトレンドに合う広告とセールスプロモーションの実施が可能である。
【００３１】
そして、提携銀行及びサービス提供会社は、デジタル情報ディスプレイ機能を備えた自動販売機によって自社顧客に無償で商品券積立サービスの特典を提供することができ、消費者が自動販売機を通じて、商品券積立と商品券使用のために自社のバンクカードまたは顧客カードを使うので、これによる新規の収益を創出することができるだけでなく、カード使用による売上分析、消費者分析及び消費パターン分析などのデータを確保して今後の銀行顧客に対する多様なマーケティング活動を実施することができる。
【００３２】
デジタル情報ディスプレイ機能を備えた自動販売機を活用したプロモーション広告統合サービス及び製品購買に対する割引の特典を受けるためには、まず消費者は提携銀行またはサービス運営会社で提供するバンクカードまたは顧客カードを保有しなければならなく、このカードを保有した消費者が最初に本発明に係わる前記サービスを用いるに際して、別途の申し込み手続きなしに提携銀行及び加盟店に設置されたデジタル情報ディスプレイに構成されているカードリーダーに自分が保有しているカードを認識させることだけで、サービス利用による会員加入と商品券積立が完了し、以後に持続的なサービスを受けることができることになるので、本サービスを用いるための申し込み手続きなどの不便さを解消することができ、消費者に積立される商品券は印刷物形態の実物商品券ではない電算上で提供される電子商品券で、紛失及び破損の危険がないだけでなく商品券を使うために携帯する必要がなく、該当のインターネットウェブサイトに接続して消費者が積立し、又は、使用した商品券内訳を確認することができる。
【００３３】
前記のようなデジタル情報ディスプレイ機能を備えた自動販売機によってプロモーション広告運営及び購買の特典を適用し、広告効果を高めるための本発明の実施例によるプロモーション広告統合サービス機能を備えた自動販売機を以下に添付図面に基づいて詳細に説明する。
【００３４】
図１は本発明の実施例によるプロモーション広告統合サービス機能を備えた自動販売機の斜視図である。
【００３５】
図１を参照すれば、前記プロモーション広告統合サービス機能を備えた自動販売機１００は、メインフレームの所定の空間に販売用の製品１０が保管され、決済手段による処理によって製品１０を排出し、プロモーション広告統合サービスを提供するために、運営サーバー（図示せず）から有線又は無線ネットワークを介してプロモーション広告のコンテンツを受信して表示し、３次元または２次元で製作されたコンテンツを表示するための少なくとも一つのディスプレイパネル１１０と、販売中の製品に対する前記プロモーション広告を選択するための会員認証を含むユーザー命令の入力を受けるためのタッチスクリーンユニット１０２と、前記タッチスクリーンユニット１０２の一方の側に備えられ、会員認証のための会員カード情報を読み込むためのカードリーダー部と、販売中の製品に対する前記プロモーション広告を選択する際に発生する特典及び処理結果による結果物を出力するための印刷ユニット１０４とが備えられ、自動販売機能のために基本的に製品１０の購買の際に現金決済のために紙幤投入ユニット１２２及び小銭投入ユニット１２４と、購入しようとする商品の番号を入力するための商品選択入力部１２０と、選択された商品を排出するための商品排出ユニット１２８と、小銭を返還するための小銭返還ユニット１２６とがさらに備えられており、自動販売機１００の前面に形成された透明部材２０とサインユニット２００との間にプロモーション広告の表示中にも製品１０を見ることができる透明ディスプレイパネル３００とがさらに含まれる。
【００３６】
前記自動販売機１００に備えられた製品１０は、お菓子、飲み物、チョコレートなどを含むすべての嗜好食品から選ぶことができ、販売可能ないずれの電子装備及びアクセサリー類も含むことができ、その種類は制限されない。
【００３７】
本発明において、プロモーション広告は前記自動販売機１００で販売する製品１０の広告を含み、購買者が製品１０を購入する前に購入しようとする製品１０に対するプロモーション広告を選択して視聴すれば、提携カードまたはその他のサービス利用カード情報の確認によって割引価格で製品１０を購入することができる特典を提供する。
【００３８】
または、販売価格の所定のパーセントをポイントまたは現金として積立することにより、製品１０の販売及び広告視聴が増加する効果が得られる。
【００３９】
図示しなかったが、本発明の自動販売機１００を介してプロモーション広告コンテンツを受信して表示するためには有線又は無線ネットワーク装置が備えられなければならない。
【００４０】
前記自動販売機１００は、プロモーション広告の露出度測定、防犯及び保安、そして利用者の写真合成及び映像メールを含むマルチメディアコンテンツ運用のためのカメラ１３０をさらに含むことができる。
【００４１】
前記印刷ユニット１０４によって出力される結果物は、販売中の製品に対する前記プロモーション広告を選択する際に特典として付与されるクーポン、割引券及び情報提供のための略図、積立内訳、コンテンツ情報の少なくともどのいずれか一つを含む印刷物である。
【００４２】
磁気カードリーダーユニット１０８及びＲＦＩＤカードリーダーユニット１０６を含む前記カードリーダー部によって製品購買に対するクレジットカード決済とともにポイント、電子商品券が直接積立されるようにして、広告及びコンテンツの利用に対する恵みを付与することができる。
【００４３】
前記ディスプレイパネル１１０は２Ｄまたは３Ｄディスプレイパネルが適用されることができる。二つ以上で構成される場合、同一の次元で製作されたコンテンツのみで構成されるか相異なる次元で製作されたコンテンツで構成することができ、単一のディスプレイパネル１１０に上下または左右に区画して相異なる次元のコンテンツを表示することができる。この際、上部には３Ｄで製作されたコンテンツを、かつ下部には２Ｄで製作されたコンテンツをそれぞれ表示するように構成することができることが好ましい。
【００４４】
これは、コンテンツの製作段階でフレームを区分してコンテンツ自体を分離された形態に製作し、前記ディスプレイパネル１１０の上部と下部のいずれか１ヶ所に３Ｄディスプレイパネルを適用することで、単一のパネルに相異なる次元でコンテンツが表示されるようにすることが好ましい。
【００４５】
コンテンツ別に３次元または２次元のどの次元の映像で製作されて表示されるかによって広告効果が変わるので、その特性に合わせて製作すれば広告効果は一層高くなるようになる。
【００４６】
図２は本発明の実施例によるプロモーション広告統合サービス機能を備えた自動販売機の透明ディスプレイパネルを示す部分斜視図、図３は本発明の実施例によるプロモーション広告統合サービス機能を備えた自動販売機の前面の構成を示す側断面図である。
【００４７】
図２及び図３に示すように、一層以上で形成された棚１２に陳列されている製品１０の上部前面には、固定的な広告が表示できるように、サインユニット２００が設けられており、前記サインユニット２００と透明部材２０の間に透明ディスプレイパネル３００が移送可能に構成されている。
【００４８】
前記透明ディスプレイパネル３００は固体と液体の中間状態を持つ物質をコントロールして光の透過率を調整して映像が見えるようにするディスプレイであり、ＡＭＯＬＥＤ、俗に自体発光とも呼ばれるディスプレイが適用でき、動作方式はＴＦＴ−ＬＣＤと特に違わない。
【００４９】
前記のように、透明ディスプレイパネル３００を前記透明部材２０の内側に適用することで、広告のためのディスプレイ空間の拡張が可能になり、可視的広告効果が高くなり、広範囲な前面広告中にも購買しようとする製品１０の視野を確保することができるようになるので、広告中にも前記透明ディスプレイパネル３００の裏面側にある製品を確認しながら購買することができる。
【００５０】
また、前記透明ディスプレイパネル３００の広い空間に広告を表示することができるので、一定の距離で隔たっている人々も広告を見ることができる効果がある。
【００５１】
図示しなかったが、前記自動販売機１００にＷｉ−Ｆｉ（登録商標）、Ｚｉｇｂｅｅ（登録商標）、Ｂｌｕｅｔｏｏｔｈ（登録商標）でデータ送受信が可能なモジュールを搭載することで、所定の距離で隔たっている人々が無線で販売中の製品に対するプロモーション広告を選択することができ、別に提供されるスマート移動通信端末機用アプリケーション及びパーソナルコンピュータ（ＰＣ）のウィジェットプログラムを介しても選択することが好ましい。
【００５２】
一方、購買者が製品１０を購買するとき、前記透明ディスプレイパネル３００が視野を遮るので、前記透明ディスプレイパネル３００が所定の空間に移送できるようにすることが好ましい。
【００５３】
これは、図３に示すように、自動販売機１００の前面の透明部材２０の内側上端と下端フレームの上下に設けられたベアリング３０１ａ、３０１ｂに支持されて移送できるようにする。
【００５４】
さらに、ロール状の透明ディスプレイパネルが適用されれば、上端または下端に巻き取る形態でも構成されることができることが好ましい。
【００５５】
以上、本発明の好適な実施例に基づいて図示しながら説明したが、本発明は前述した実施例に限定されなく、本発明の精神を逸脱しない範囲内で本発明が属する当該技術分野で通常の知識を持った者によって本発明の技術思想及び以下に記載する特許請求の範囲と同等な範囲内で多様な修正及び変形が可能であるのはいうまでもない。
【産業上の利用可能性】
【００５６】
本発明は、自動販売機でプロモーション広告統合サービスを提供し、販売製品関連広告によって割引の特典を提供し、３Ｄディスプレイパネルによる３次元広告と透明ディスプレイパネルを適用して販売及び広告の効果を高めることができるプロモーション広告統合サービス機能を備えた自動販売機に適用可能である。
【符号の説明】
【００５７】
１０    製品
１２    棚
２０    透明部材
１００    自動販売機
１０２    タッチスクリーンユニット
１０４    印刷ユニット
１０６    ＲＦＩＤカードリーダーユニット
１０８    磁気カードリーダーユニット
１１０    ディスプレイパネル
１２０    製品選択入力部
１２２    紙幤投入ユニット
１２４    小銭投入ユニット
１２６    小銭返還ユニット
１２８    製品排出ユニット
１３０    カメラ
２００    サインユニット
３００    透明ディスプレイパネル
３０１ａ、３０１ｂ    ベアリング
【図１】
0005360665.tif 000002
【図２】
0005360665.tif 000003
【図３】
0005360665.tif 000004